(57)【要約】【課題】  即席食品などの食後に残る汁（残余液体）の流動性を止める残余液処理体を添付することにより、残余液を、環境に優しく安全に処理することができるようにする。【解決手段】食後の残余物である汁、スープなどの液体類の流動性を止めることができる残余液処理体（１４）を、食品を収納するスペースから隔離されたスペース（１１ａなど）に収納するよう構成する。残余液処理体は、その素材を高吸水性樹脂とし、食品容器の蓋（１１）、又は底にある凹所（１１ａなど）に配置して、その付近に、使用目的、使用方法、食用不可であること、などの使用上の注意を表示する。【選択図】図１
2007112480.tif 000002
【特許請求の範囲】
【請求項１】
食品を収納するための器と前記食品を食するための器を兼ねた容器本体と、
前記食品を収納するためのスペースから隔離されたスペースに収納され、前記食品が食された後の残余物の中の汁、スープなどの液体類の流動性を止めることができる残余液処理体と、
を含む残余液処理体付き食品容器。
【請求項２】
請求項１に記載の残余液処理体付き食品容器において、
前記残余液処理体は、素材が高吸水性樹脂を含むこと、
を特徴とする残余液処理体付き食品容器。
【請求項３】
請求項１又は請求項２に記載の残余液処理体付き食品容器において、
前記隔離されたスペースは、前記食品容器の蓋又は底のいずれかの内側に向かって凹んだ凹所内に配置されている、
ことを特徴とする残余液処理体付き食品容器。
【請求項４】
請求項１から請求項３のいずれかに１項に記載の残余液処理体付き食品容器において、
前記残余液処理体の近傍の印刷可能な部分に、使用目的、使用方法、食用不可であること、などの使用上の注意が表示されている、
ことを特徴とする残余液処理体付き食品容器。
【請求項５】
請求項１から請求項４までのいずれか１項に記載の残余液処理体付き食品容器と、
前記食品と、
を含む食品容器と食品の組み合わせ。
【発明の詳細な説明】
【技術分野】
【０００１】
本発明は、熱湯を注ぐなどの手段により食することができる即席食品などの容器を兼ねた食品容器に関し、特に食後に残る汁などの残余液体を処理するための処理体を付加した、残余液処理体付き食品容器及びその食品容器と食品の組み合わせに関するものである。
【背景技術】
【０００２】
即席食品類には、例えば、いわゆるカップ麺のように、熱湯を注いで乾燥状態の麺や具の食材を調理済みの状態に変え、粉末状の濃縮スープを溶かして汁にする場合が多い（例えば、特許文献１）が、飲食後には、必ず相当量の汁などの液状物が残る。
しかも、これらの液状物には小さな具などの固形物が混じっている場合が多く、飲食場所が家庭内であっても、キッチンの流しに流せば、パイプ詰まりを防ぐためのネットの目詰まりが早くなるので、そのネットを頻繁に取り替えなければならない。もちろんネット無しで、直接流せば、いずれはパイプ詰まりの原因となる。
【０００３】
また、飲食場所が屋外であれば、公園などで、ごみ箱が設置されている場合でも、一旦開けたカップは密閉することができないので、残りの汁が入ったままでごみ箱に入れると、ごみの回収時や、運搬時に、汁がこぼれ、甚だ不都合である。
さらに、イベント会場などで、多くの即席食品類を提供する場合は、これらの食品類の食後の後片付けのために、通常のごみ箱の他に、汁、スープ類専用の処理のための容器を用意しなくてはならず。しかも、その容器の中身の処理は、通常のごみ処理より、一段と手間がかかるという問題点があった。
【０００４】
また、飲食する場所が野山や海浜などの自然環境で、ごみ箱の設置が無く、ごみを持ち帰らなくてはならない場合は、中に飲み残した汁、スープなどが容器（食品容器）内に入っている状態で、家までの道中を、携帯しなければならない。しかも、リュックサックや手提げ袋などの袋類に入れている場合は、他のものも入っているので、汁、スープ類が容器内からこぼれ出して、袋の内部のものの殆どを汚してしまうことが多い。
上述した諸問題に対して、現状では、その解決方法はどこにも提示されていない。
【特許文献１】特開平１０−２１１９５３号公報
【発明の開示】
【発明が解決しようとする課題】
【０００５】
本発明の課題は、上記の問題点を解決し、即席食品などの容器を兼ねた食品容器に入れられた食品の、食後に残る汁などの残余液体を、飲食者が処理するのに便利なように、食品容器に残余液処理体を付加することにより、どのような場所で飲食しても、安全確実に、安心して残余液体の処理ができるようにすることである。
【課題を解決するための手段】
【０００６】
前記課題を解決するために、請求項１の発明は、食品（Ｆ１、Ｆ２、Ｆ３）を収納するための器と前記食品（Ｆ１、Ｆ２、Ｆ３）を食するための器を兼ねた容器本体（１０）と、前記食品（Ｆ１、Ｆ２、Ｆ３）を収納するためのスペースから隔離されたスペース（１１ａ、２０ｂなど）に収納され、前記食品（Ｆ１、Ｆ２、Ｆ３）が食された後の残余物の中の汁、スープなどの液体類（Ｌ）の流動性を止めることができる残余液処理体（１４など）と、を含む残余液処理体付き食品容器である。
【０００７】
請求項２の発明は、請求項１に記載の残余液処理体付き食品容器において、前記残余液処理体（１４など）は、素材が高吸水性樹脂を含むこと、を特徴とする残余液処理体付き食品容器である。
【０００８】
請求項３の発明は、請求項１又は請求項２に記載の残余液処理体付き食品容器において、前記隔離されたスペース（１１ａ、２０ｂなど）は、前記食品容器の蓋（１１）又は底（２０ｂ）のいずれかの内側に向かって凹んだ凹所（１１ａ、又は２０ｃ）内に配置されている、ことを特徴とする残余液処理体付き食品容器である。
請求項４の発明は、請求項１から請求項３のいずれか１項に記載の残余液処理体付き食品容器において、前記残余液処理体（１４など）の近傍の印刷可能な部分に、使用目的、使用方法、食用不可であること、などの使用上の注意が表示されている、ことを特徴とする残余液処理体付き食品容器である。
【０００９】
請求項５の発明は、請求項１から請求項４までのいずれか１項に記載の残余液処理体付き食品容器（１０、２０など）と、前記食品（Ｆ１、Ｆ２、Ｆ３など）と、を含む食品容器と食品の組み合わせである。
【発明の効果】
【００１０】
以上説明したように、本発明によれば、以下のような効果がある。
（１）食品を収納するための器と、前記食品を食するための器を兼ねた食品容器に、食後の残余物を廃棄しやすい形にするために、残余物の中の汁、スープなどの流動性を止めることができる残余液処理体を添付することにより、即席食品などの食後の残余液体を、捨て易い形に変えることができるので、誰でも安心して持ち帰ることができて、自然環境の保全にも役立ち、捨てる場合にも、汚れず手間がかからず便利である。
【００１１】
（２）上記の食品容器に付加した残余液処理体の素材を、高吸水性樹脂とすることによって、スペースを取らない小さな残余液処理体であっても、飲食後に残った大量の汁、スープ類を吸収することができるので、（１）の項に示した効果を確実に達成することができる。
【００１２】
（３）上記の食品容器において、残余液処理体を収容するスペースを、食品収容場所から隔離された蓋、又は底の凹所に設けてある。また、その付近に、使用目的、使用方法、食用不可であること、などの使用上の注意を表示することにより、残余液処理体を誤って食べることの危険を、有効に防ぐことができる。
【００１３】
（４）上記の残余液処理体付き食品容器と、容器内に収納する食品とを組み合わせることにより、ユーザーがすぐ使用できる即席食品の最終形態とすることができる。
【発明を実施するための最良の形態】
【００１４】
本発明は、即席食品などの食後に残る汁などの残余液体を、食品容器ごとの持ち帰りや、廃棄処理に都合のよい形に変えるという目的を、残余液体の流動性を無くすことができる残余液処理体を食品容器に付加し、またその付加した食品容器と食品を組み合わせることにより実現する。
【実施例１】
【００１５】
以下に図面等を参照して、発明を実施するための最良の形態を、実施例をあげて説明する。
図１は、本発明による残余液処理体付き食品容器の一例（実施例１）を、中心線を含む垂直面で切断し、その端面を示す断面図である。図中の大きい円で囲んだ部分は小さい円で囲んだ部分を拡大して示したものである。
図２は、食品を入れた図１の食品容器に残余液処理体を添付する状況を示す斜視図である。
図３は、図１に示す残余液処理体としての吸水体（固形状の吸水剤）の形状とは異なる他の吸水体の形状例を示す斜視図である。
【００１６】
図１の残余液処理体付き食品容器は、食品容器の本体（以下、容器本体と言う。）１０の蓋１１と、蓋１１の上面の凹所１１ａを覆うシール状の紙（以下、上面シールという。）１２の間に、吸水体１４を挿入してある。
なお、図１では、吸水体１４の配置を明確に表すために、吸水体の断面にのみ斜線を施している。以下の図面においても同様である。
【００１７】
上面シール１２は、蓋１１の上側に設けられた凹所１１ａを覆う円形のシールで、ボール紙製で、上面は、印刷面として商品名や食品内容に関する情報などを表示し、裏面は、吸水体１４を入れるスペースの防湿性を高めるためにアルミ層で覆ってある。
上面シールの下面の周縁部付近には、蓋１１の周辺部の上面に接着させるための接着剤１２ａが塗布されている。
接着剤１２ａによって、吸水体１４を収納するスペースを密閉し、蓋１１と一体化することにより、吸水体１４を飲食の終了時まで、間違って食べられることのないように安全が図られている。
なお、特に図示はしないが、蓋１１の凹所１１ａの適当な場所に、「これは食後に残った汁を処理するための吸水剤です。食べられません」などの注意事項を表示しておくとよい。
【００１８】
吸水体１４は、食品を食べ終わった後にカップ１０内に投入し、汁、スープなどの液体を吸収して流動性を無くしし、持ち運びや、捨てるのに便利な形にするためのものである。
吸水体１４は、高品質アクリル酸を原料として作られた高吸水性樹脂を円盤状に固めたものであるが、図３に示すような、形がドーナツ状の吸水体１４ａ、または角型板状の吸水体１４ｂなどのもでもよい。
なお、大きさは、子供の喉を通りにくい程度に大きいことが望ましい。また吸水体として固形状のものを使用する理由は、粉末状では、食品の具、調味料などと間違えやすいからである。
吸水体１４の材質は、一般に、紙おむつ、ナプキン、失禁パッド、携帯トイレなどに使用されているものと同等品でよい。
【００１９】
図１の食品容器に食品をいれて、使用者に提供する場合は図２に示すように、カップ本体１０に麺Ｆ１、具Ｆ２、Ｆ３などの半ば調理済みの食材を入れ、蓋１１を被せ、蓋１１の凹所１１ａに、吸水体１４を入れ、その上から上面シール１２を当てて押し付けると、図１に示す接着剤１２ａによって、上面シール１２の下面の周辺部が蓋１１の上端部に接着して、吸水体１４は、蓋１１と上面シール１２に囲まれたスペースに密閉される。
食品と組み合わせる場合は、食品（例えば、麺Ｆ１、具Ｆ２、Ｆ３など）を容器本体（１０）内に入れた後、食品容器全体の外側を、ラップ１６で包んで、飲食者に提供する最終の形態とする。
【実施例２】
【００２０】
図４は、本発明による残余液処理体付き食品容器の一例（実施例２）を、中心線を含む垂直面で切断し、その端面の下部を示す断面図である。
図４の残余液処理体付き食品容器は、容器本体２０の底２０ｂの凹所２０ｃと、凹所２０ｃを覆うシール状の紙（以下、下面シールという。）２５の間に、吸水体２４を挿入してある。吸水体２４は、図１に示したものと同様のものでよい。
下面シール２５の内側には、アルミ箔が貼ってあり、下面シール２５の内側の周辺部が容器本体２０の下端部に接着剤２５ａで接着されることにより、吸水体２４は、容器本体２０と下面シール２５に囲まれたスペースに防湿状態で密閉される。さらに、食品と組み合わせる場合は、食品を入れた後、全体の外側を、ラップ２６で包んで、飲食者に提供する最終の形態とする。このことは、以下の実施例においても同様である。
【実施例３】
【００２１】
図５は、本発明による残余液処理体付き食品容器の一例（実施例３）を、中心線を含む垂直面で切断し、その端面の一部（上部周辺部）を示す断面図である。
図５の残余液処理体付き食品容器は、図１の蓋１１の上側を覆う上面シール１２に相当する部分を上面板３２で構成している。上面板３２は、防水性のある薄い基材（上面シール１２と同様のものでよい。）３３の下面に吸水体３４を貼り付けたものである。吸水体３４は、基本的には図１に示したものと同様のものでよい。
【００２２】
吸水体３４を使用する場合は、接着剤３４ａのところから上面板３２を引き剥がし、吸水体３４の下面を露出させて使用する。
上面板３２は、吸水体のみで構成してもよいが、本実施例では上記のように、防水性のある基材３３の内側に、吸水体３４を配置した。これは、容器内の食品を食べている間に、上面板３２が付いた蓋１１を置く場所の状態によっては、吸収体が水で濡れたものに触れて、食後に使用する以前に、吸水状態になってしまうのを避けるためである。
【実施例４】
【００２３】
図６は、本発明による残余液処理体付き食品容器の一例（実施例４）を、中心線を含む垂直面で切断し、その端面を示す断面図である。図中の大きい円で囲んだ部分は小さい円で囲んだ部分を拡大して示したものである。
図６の残余液処理体付き食品容器は、簡易な食品容器の場合で、図１に示すような周縁部を折り曲げた蓋１１に相当するものが無く、単にカップ状の容器本体４０の上端部に円盤状の平たい蓋（以下、蓋板という。）４１を接着したもので、その蓋板４１を３重構造とし、その中央の層に吸水体４４を配したものである。
吸水体４４は、基本的には図１に示した吸水体１４と同様のものでよい。
【００２４】
蓋板４１は、最外側の基材４２と、従来同様の蓋の役目を有するシール（以下、蓋シールという。）４３の間に吸水体４４を挟んで配置し、重ね合わせたものである。
基材４２と吸水体４４の間は、剥離不能に接着し、吸水体４４と蓋シール４３の間は、接着剤４４ａで剥離可能に接着してある。
【００２５】
食品を入れた後に、蓋シール４３と容器本体４０の上端の間が、接着剤４３ａで剥離可能に接着されるが、接着剤４４ａは、接着剤４３ａより強い接着力のものを選んであるので、使用者が蓋を剥がそうとすると、必然的に、蓋板４１全体が容器本体４０から離れるようになっている。
吸水体４４を使用する場合は、蓋板４１の接着剤４４ａのところから、蓋シール４３を剥がして除去し吸水体４４の下面を露出させて使用する。
【００２６】
図７及び図８は、容器内の食品を食べ終わった後に、残った汁、スープ類の液体Ｌを吸水体４４に吸収させる状況を、図６の実施例の場合について示した説明図である。図１〜図５に示した実施例についても、基本的には同じ状況であるので、それらの説明は省略する。
図７は、蓋シール４３を剥がして吸水体４４を容器本体４０に入れる過程（途中経過を二点鎖線で示す。）を斜視図で示す。図８は、容器本体４０に吸水体４４を入れることにより、吸水体４４が、残った汁、スープ類の液体Ｌを吸収する状態を、断面図で示す。図中（ａ）は、基材４２と共に吸水体４４の一部を液体Ｌに入れた直後の状態である。図中（ｂ）は、吸水体４４が全部の液体Ｌを吸収して、容器本体４０内に流動性のあるものがまったく無くなった状態である。
【００２７】
（変形例）
以上説明した実施例に限定されることなく、種々の変形や変更が可能であって、それらも本発明の均等の範囲内である。
例えば、上記の実施例では、残余液処理体として固形状の吸水体１４を使用しているが、他の方法、例えばてんぷら油を薬剤により固めるのと類似の方法で、適当な薬剤があれば、それを使用しても良い。
また、上記の実施例の応用例として、紙などで作られた簡易食器類にも本発明を適用することができる。
図９に示す実施例は、任意の食品を適宜入れて使用する、いわゆる簡易丼容器である。この簡易丼容器は、図４の実施例の応用例である。
図９の場合も、図４の実施例と同様に、紙丼容器本体５０の底の凹所５０ｂに、吸水体５４を入れ、シール５５で覆って封入している。
【００２８】
図１０に示す実施例は、図９と同様の目的で使用される、いわゆる紙コップに、残余液処理体である吸水体６４を付加したものである。
図１０の場合は、紙コップ本体６０の底の凹所６０ｂの外側に、吸水体６４を剥離可能に接着剤６４ａで接着している。
そのまま、食品を入れないで使用者に提供してもよいが、食品と組み合わせて提供する場合は、紙コップ本体６０に食品を入れ、蓋６１を被せてから、図１０に示すように、全体をラップ６６で覆うのがよい。このようにすれば、低いコストで、残余液処理体付きの食品容器と食品の組み合わせを提供することができる。
【００２９】
なお、図１１の説明図で示した、さらに簡便な残余液処理体の添付方法も考えられる。図中の断面図で示すように、蓋７１で開口部を覆った容器本体７０の外側周辺の場所Ｐ１、Ｐ２、Ｐ３などのいずれかに、吸水体７４を配置して、その外側をラップ７６で覆ってもよい。図中の斜視図は、吸水体７４の外観例である。この場合は、吸水体７４は図中のＰのように印字可能なシールで個別に包装し、安全性を考慮して表面に「食用不可」などのメッセージを明確に表示する必要がある。
以上の他、種々の変形例が考えられるが、本発明の主旨にそうものであれば、そのいずれでも良い。
【図面の簡単な説明】
【００３０】
【図１】本発明による残余液処理体付き食品容器の実施例１を示す断面図である。
【図２】図１の食品容器に食品を入れて梱包する手順の一部を示す斜視図である。
【図３】図１の吸水体とは異なる形状の吸水体例を示す斜視図である。
【図４】残余液処理体付き食品容器の実施例２の一部を示す断面図である。
【図５】残余液処理体付き食品容器の実施例３の一部を示す断面図である。
【図６】残余液処理体付き食品容器の実施例４を示す断面図である。
【図７】食後の食品容器に吸水体を入れる状況を示す説明図である。
【図８】食品容器内に残った汁類を吸収体が吸収する状況を示す説明図である。
【図９】図４の応用例を示す断面図である。
【図１０】紙コップに吸水体を付加した変形例を示す断面図である。
【図１１】紙コップに関し他の変形例を示す説明図である。
【符号の説明】
【００３１】
１０、２０、３０、４０、５０、６０、７０    容器本体
１１、３１    蓋
１２、    上面シール
１４、２４、３４、４４、５４、６４、７４    吸水体
１６、２６、３６、４６、６６    ラップ
２５    下面シール
３２    上面板
３３、４２    基材
４１    蓋板
Ｆ１    麺
Ｆ２、Ｆ３    具
Ｌ    残余液
【図１】
2007112480.tif 000003
【図２】
2007112480.tif 000004
【図３】
2007112480.tif 000005
【図４】
2007112480.tif 000006
【図５】
2007112480.tif 000007
【図６】
2007112480.tif 000008
【図７】
2007112480.tif 000009
【図８】
2007112480.tif 000010
【図９】
2007112480.tif 000011
【図１０】
2007112480.tif 000012
【図１１】
2007112480.tif 000013